(57)【特許請求の範囲】
【請求項１】
電話網との接続を可能にするための外線インターフェース手段と、
１以上の汎用端末を子機として接続可能にするための内線インターフェース手段と、
前記外線インターフェース手段と前記内線インターフェース手段との間の通信路の交換接続を行うスイッチ手段と、
前記内線インターフェース手段に接続された子機から前記内線インターフェース手段に接続された他の子機への発信の場合には、着信先が属する系を識別するための識別子が付加された着番号が用いられるようにされており、前記識別子が付加された着番号か否かに応じて、前記内線インターフェース手段を通じて受け付けた発信が、前記外線インターフェースを通じて接続される前記電話網への発信か、前記内線インターフェースを通じて接続される子機への発信かを解析するダイヤル解析手段と、
前記ダイヤル解析手段による解析結果が子機への発信である場合に、着番号からは付加されている前記識別子を除去すると共に、発番号に対して発信元が属する系を識別するための識別子を付加して着信先に通知する呼制御手段と
を備えることを特徴とする交換制御装置。
【請求項２】
請求項１に記載の交換制御装置であって、
前記内線インターフェース手段は、当該交換制御装置に対して子機としてＬＡＮ（Local Area Network）接続される汎用端末用の子機インターフェース部と、その他の端末用のインターフェース部とを備えたものであり、
前記子機インターフェース部を通じて接続される子機の内線番号と、当該子機が当該交換制御装置に対してＬＡＮ接続されているか否かを示す情報を記憶する記憶手段を備え、
前記呼制御手段は、前記記憶手段に記憶されている情報に基づいて、前記内線インターフェース手段を通じて受け付けた発信の着信先が前記子機インターフェース部を通じて接続されている子機であると判断した場合に、発番号に対して発信元が属する系を識別するための識別子を付加し、着番号に前記識別情報が付加されているときにはこれを除去して着信先に通知する
ことを特徴とする交換制御装置。
【請求項３】
電話網との接続を可能にするための外線インターフェース手段と、１以上の汎用端末を子機として接続可能にするための内線インターフェース手段と、前記外線インターフェース手段と前記内線インターフェース手段との間の通信路の交換接続を行うスイッチ手段とを備え、外線／内線の交換制御を行う交換制御装置における発番号通知方法であって、
前記内線インターフェース手段に接続された子機から前記内線インターフェース手段に接続された他の子機への発信の場合には、着信先が属する系を識別するための識別子が付加された着番号が用いられるようにされており、
前記識別子が付加された着番号か否かに応じて、１以上の汎用端末を子機として接続可能にするための前記内線インターフェース手段を通じて受け付けた発信が、前記外線インターフェースを通じて接続される電話網への発信か、前記内線インターフェースを通じて接続される子機への発信かをダイヤル解析手段が解析するダイヤル解析工程と、
前記ダイヤル解析工程の解析結果が子機への発信である場合に、呼制御手段が、着番号からは付加されている前記識別子を除去すると共に、発番号に対して発信元が属する系を識別するための識別子を付加して着信先に通知する呼制御工程と
を有する発番号通知方法。
【請求項４】
請求項３に記載の交換制御装置における発番号通知方法であって、
前記交換制御装置の前記内線インターフェース手段は、当該交換制御装置に対して子機としてＬＡＮ（Local Area Network）接続される汎用端末用の子機インターフェース部と、その他の端末用のインターフェース部とを備えたものであり、
前記交換制御装置は、前記子機インターフェース部を通じて接続される子機の内線番号と、当該子機が当該交換制御装置に対してＬＡＮ接続されているか否かを示す情報を記憶する記憶手段を備え、
前記呼制御工程においては、前記記憶手段に記憶されている情報に基づいて、前記内線インターフェース手段を通じて受け付けた発信の着信先が前記子機インターフェース部を通じて接続されている子機であると判断した場合に、発番号に対して発信元が属する系を識別するための識別子を付加し、着番号に前記識別情報が付加されているときにはこれを除去して着信先に通知する
ことを特徴とする発番号通知方法。
【発明の詳細な説明】
【技術分野】
【０００１】
この発明は、例えば、会社などにおいて電話システムを構築する場合に用いられる電話システム用の交換制御装置、当該装置で用いられる発番号通知方法に関する。
【背景技術】
【０００２】
後に記す特許文献１には、着信履歴を利用した発信時に特定の網を介した通信を簡単に行えるようにするため、着信時の発信者番号通知を履歴として残し、その番号にワンタッチで発信できるようにする発明が開示されている。
【０００３】
当該発明は、主装置が自機に収容される電話端末のＬＣＤに着信相手の発信者番号通知の情報を表示させる。電話端末には特定の網を介した発信を行うためのワンタッチキーが設けられている。着信履歴を用いて特定の網を介して目的とする相手先に発信する場合、ＬＣＤに表示された相手先電話番号を確認し、所定のワンタッチキーを押下操作する。
【０００４】
すると、主装置は、着信履歴の発信者番号通知の情報が示すダイヤル情報の先頭に特定の網へのアクセスコードであるダイヤルを付加して発信する。これにより、一般公衆網ではなく、特定の網を通じて目的とする相手先との間に通信回線が接続され、例えば、通話ができるようにされる。
【０００５】
したがって、特許文献１に記載の発明の場合には、一般公衆網だけでなく、特定の網を通じて目的とする相手先との間に、簡単かつ適切に通信回線を接続し、目的とする相手先との間で通信処理を行うことができるようにされる。
【先行技術文献】
【特許文献】
【０００６】
【特許文献１】特開２００２−７７３６９号公報
【発明の概要】
【発明が解決しようとする課題】
【０００７】
近年においては、例えば会社内に電話システムを構築する場合に、会社内では内線電話機として利用でき、外出先では携帯電話端末として利用できるというように汎用的に利用可能ないわゆる無線ＬＡＮデュアル端末が用いられるようになってきている。
【０００８】
すなわち、無線ＬＡＮデュアル端末は、会社内においては無線ＬＡＮ（Local Area Network）のアクセスポイントを通じていわゆる主装置に収容（接続）されることにより内線電話機として機能する。また、無線ＬＡＮデュアル端末は、外出先においては通常の携帯電話端末と同様に、携帯電話網の基地局に位置登録し、携帯電話網を通じて、電話を受けたり、電話をかけたり、あるいはインターネットにアクセスするなど、携帯電話端末として機能する。
【０００９】
そして、このような無線ＬＡＮデュアル端末が用いられて構築された電話システムにおいて、無線ＬＡＮデュアル端末には、内線／外線の概念が無いために、着信履歴を用いて行う発信時に不都合を生じさせる場合がある。
【００１０】
例えば、主装置に対して無線ＬＡＮ接続され、内線端末として機能するようにされている無線ＬＡＮデュアル端末に対して、内線番号「１１０」から内線着信が入ると、当該無線ＬＡＮデュアル端末の着信履歴には、内線番号の「１１０」が記録される。そして、当該無線ＬＡＮデュアル端末から着信履歴を用い、内線番号「１１０」に内線をかけるようにしたとする。
【００１１】
この場合に、電話機を収容する主装置が、外線優先モードである場合には、当該主装置は、外線の「１１０」番に発信してしまう。ここで、外線優先モードは、特別な操作を要求せず、例えばオフフックしただけで外線発信を可能するものである。周知のように、日本において「１１０」番は、警察機関に提供される緊急通報用電話番号であり、このような間違い電話は極力避けるべきである。このため、内線番号に「１１０」などの緊急通報用電話番号と同じ番号は用いられないようにしたり、緊急通報用電話番号への着信履歴からの発信をできないようにしたりするなどの方策を講じなければならなくなる。
【００１２】
このような方策は例えば主装置の機能として実現することは可能であるが、種々の制限を設けてしまうと、結果として使い勝手が悪くなるなどの問題を生じさせてしまう。このため、上述した特許文献１に記載の発明のように、着信履歴からの内線発信の場合には、例えば、内線ボタンを設けてこれを押下操作するなどの所定の操作を行うようにすることも考えられる。しかし、当該操作を忘れてしまった場合には、結局間違い電話を発生させてしまうので、根本的な解決策にはならない。
【００１３】
そこで、主装置を内線優先モードにすることが考えられる。内線優先モードは、上述した外線優先モードとは逆に、主装置が特別な操作を要求せず、例えばオフフックしただけで内線発信を可能にするものである。この場合、内線端末として機能する無線ＬＡＮデュアル端末から着信履歴を用い、内線番号「１１０」に内線をかけるようにすると、主装置は内線の「１１０」に内線発信することになり、外線へ間違い電話をかけることを確実に防止することができる。しかも、内線番号に使用できない番号を生じさることもなく、また、主装置が着信履歴を用いた発信を監視する必要も無い。
【００１４】
しかし、主装置が内線優先モードの場合には、外線発信時において、例えば外線電話番号の入力の前に「０（ゼロ）」を入力するいわゆるゼロ発信を行うようにするなどの所定の操作が必要になる。また、外線からの着信時には、着信履歴として保持する外線電話番号に対して、プリフィックスコードとして「０（ゼロ）」を付与する必要が生じる。
【００１５】
例えば、外線番号「０３１２３４５６７８」から内線端末として動作する無線ＬＡＮデュアル端末に着信があったとする。この場合、当該無線ＬＡＮデュアル端末の着信履歴には、発呼先の電話番号にプリフィックスコード「０（ゼロ）」を付与した「００３１２３４５６７８」を登録することにより、内線端末として機能している場合には外線捕捉が可能になる。
【００１６】
しかし、プリフィックスコードが付与された電話番号が着信履歴に残っていても、当該無線ＬＡＮデュアル端末が携帯電話端末として機能する場合、当該着信履歴をそのまま用いた発信を行うことはできない。つまり、内線端末として機能しているときの外線着信の着信履歴を用いて、携帯電話端末として機能している場合に発信を行おうとすれば、当該着信履歴の電話番号に付与されているプリフィックスコードを削除する必要が生じる。
【００１７】
また、逆の場合も不都合が生じる。つまり、無線ＬＡＮデュアル端末が携帯電話端末として機能している場合の着信履歴の電話番号には、プリフィックスコードは付与されていない。このため、携帯電話端末として機能しているときの着信履歴を用いて、内線端末として機能している場合に発信を行おうとすれば、今度は逆に、当該着信履歴の電話番号にプリフィックスコードを付与する必要が生じる。
【００１８】
このような着信履歴を用いた発信を行う場合における問題は、無線ＬＡＮデュアル端末の電話帳に登録された情報を用いて発信を行う場合にも同様に発生する。すなわち、無線ＬＡＮデュアル端末の電話帳には、同じ相手先について、内線端末として機能している場合に用いる電話番号と携帯電話端末として機能している場合に用いる電話番号の２種類を登録しておかなければならない。
【００１９】
ここで、内線端末として機能している場合に用いる電話番号は、プリフィックスコード（例えば「０（ゼロ）」）を先頭に付加した電話番号である。また、携帯電話端末として機能している場合に用いる電話番号は、プリフィックスコードが付加されていない通常の電話番号である。
【００２０】
しかし、無線ＬＡＮデュアル端末の電話帳に、同じ相手先について、プリフィックスコードを付加した電話番号と付加していない電話番号とを登録し、これらを自機が内線端末として機能している場合と携帯電話端末として機能している場合とで使い分けるようにすることは非常に不便である。このような問題を解決する１つの方式として、内線優先モードの主装置においてもプリフィックスコードを用いないようにし、先頭が「０（ゼロ）」始まる電話番号なら外線と判断して外線発信させるように制御することも考えられる。これは、電話番号の市外局番の先頭は、必ず「０（ゼロ）」である点を利用している。
【００２１】
しかし、例えば、外線番号「１１０」などのように、全ての外線電話番号が「０（ゼロ）」から始まるわけではない。また、例えば、内線番号「０１０」などのように、「０（ゼロ）」から始まる内線番号が利用される可能性もある。このため、電話番号の先頭が「０（ゼロ）」か否かによって、外線か否かを判断する方法にも問題が残る。
【００２２】
以上のことに鑑み、この発明は、上記問題点を一掃し、無線ＬＡＮデュアル端末のような汎用端末を用いた電話システムにおいて、汎用端末に作成された着信履歴等のデータを用いて発信を行っても、誤った発信を発生させず、汎用端末の使い勝手が悪くなることもないようにすることを目的とする。
【課題を解決するための手段】
【００２３】
上記課題を解決するため、請求項１に記載の発明の交換制御装置は、
電話網との接続を可能にするための外線インターフェース手段と、
１以上の汎用端末を子機として接続可能にするための内線インターフェース手段と、
前記外線インターフェース手段と前記内線インターフェース手段との間の通信路の交換接続を行うスイッチ手段と、
前記内線インターフェース手段に接続された子機から前記内線インターフェース手段に接続された他の子機への発信の場合には、着信先が属する系を識別するための識別子が付加された着番号が用いられるようにされており、前記識別子が付加された着番号か否かに応じて、前記内線インターフェース手段を通じて受け付けた発信が、前記外線インターフェースを通じて接続される前記電話網への発信か、前記内線インターフェースを通じて接続される子機への発信かを解析するダイヤル解析手段と、
前記ダイヤル解析手段による解析結果が子機への発信である場合に、着番号からは付加されている前記識別子を除去すると共に、発番号に対して発信元が属する系を識別するための識別子を付加して着信先に通知する呼制御手段と
を備えることを特徴とする。
【００２４】
この請求項１に記載の発明の交換制御装置によれば、外線インターフェース手段、内線インターフェース手段、スイッチ手段を、呼制御手段が制御することによって、外線通信及び内線通信を行うことができるようにされる。すなわち、電話網に接続された外線端末と内線インターフェース手段に接続された子機（内線端末）との間に通信回線を接続して通信を行うことができるようにされる。また、内線インターフェース手段に接続された子機間においても、通信回線を接続して内線通信を行うことができるようにされる。
【００２５】
そして、ダイヤル解析手段により、内線インターフェース手段を通じて受け付けた子機からの発信が、外線インターフェースを通じて接続される電話網への発信か、内線インターフェースを通じて接続される子機への発信かが解析される。このダイヤル解析手段における解析結果が子機への発信である場合に、呼制御手段により、発番号に対して発信元が属する系を識別するための識別子が付加されて、着信先に通知するようにされる。ここで、発信元が属する系は、発信元が属するシステムを意味する。例えば、交換制御装置に対してＬＡＮ接続された端末からなる系（システム）や専用線によって接続された端末からなる系（システム）などが区別できるようにされる。
【００２６】
そして、呼制御手段によって通知される発番号を、着信先の端末において着信履歴として保持するようにすれば、当該着信履歴を用いた発信（発呼）が可能になる。そして、交換制御装置においては、着信履歴からの相手先の番号に、識別子が付加されているか否かに応じて、電話網への発信（外線発信）か、子機への発信（内線発信）かを確実に判別して、適切に発呼制御を行うことができるようにされる。
【発明の効果】
【００２７】
無線ＬＡＮデュアル端末のような汎用端末を用いた電話システムにおいて、汎用端末に作成された着信履歴等のデータを用いて発信を行っても、誤った発信を確実に発生させないようにすることができる。
【図面の簡単な説明】
【００２８】
【図１】この発明の装置、方法の一実施の形態が適用された交換制御装置１を中心とする電話システム１０を含む通信システムの全体構成の概要を説明するための図である。
【図２】この発明の装置、方法の一実施の形態が適用された第１の実施の形態の交換制御装置１の構成例を説明するためのブロック図である。
【図３】交換制御装置１の子機登録管理部１４２の機能により更新される子機登録メモリ１５３の登録情報について説明するための図である。
【図４】内線端末からの通信要求（発信要求）の概要と、これに応じて交換制御装置１において形成される通信要求の概要とについて説明するための図である。
【図５】無線ＬＡＮデュアル端末３（１）、３（２）、…の構成例を説明するためのブロック図である。
【図６】無線ＬＡＮデュアル端末３の電話帳メモリ７１において管理される情報の例を説明するための図である。
【図７】無線ＬＡＮデュアル端末３の着信履歴メモリ７２において管理される情報の例を説明するための図である。
【図８】第１の実施の形態の交換制御装置１において実行される呼設定受信処理ルーチンを説明するためのフローチャートである。
【図９】交換制御装置１を中心にして形成される電話システム１０においての内線端末間の通信シーケンスについて説明するためのシーケンス図である。
【図１０】交換制御装置１を中心にして形成される電話システム１０においての外線端末と内線端末との間の通信シーケンスについて説明するためのシーケンス図である。
【図１１】この発明の装置、方法の一実施の形態が適用された第２の実施の形態の交換制御装置１Ａの構成例を説明するためのブロック図である。
【図１２】交換制御装置１Ａの子機登録メモリ１５３において管理される登録情報の例について説明するための図である。
【図１３】第２の実施の形態の交換制御装置１Ａにおいて実行される呼設定受信処理ルーチンを説明するためのフローチャートである。
【図１４】図１３に続くフローチャートである。
【発明を実施するための形態】
【００２９】
以下、図を参照しながら、この発明による装置、方法の一実施の形態について説明する。以下に説明する実施の形態は、少なくとも無線ＬＡＮデュアル端末が用いて構成される電話システムの主装置に、この発明の装置、方法の一実施の形態を適用した場合を例にして説明する。なお、上述もし、また、後述もするように、無線ＬＡＮデュアル端末は、電話システムの構築エリア内（例えば会社内）においては交換制御装置の子機として接続可能であり、外出先においては、通常の携帯電話端末として用いることが可能なものであり、汎用的に利用可能な汎用端末として位置付けられるものである。
【００３０】
［第１の実施の形態］
［通信システムの全体構成の概要］
図１は、この発明の装置、方法の一実施の形態が適用された第１の実施の形態の交換制御装置１を中心とする電話システム１０を含む通信システムの全体構成の概要を説明するための図である。図１に示すように、この実施の形態の電話システム１０は、交換制御装置１と、複数のアクセスポイント（図１においては「ＡＰ」と記載）２（１）、２（２）、…と、無線ＬＡＮデュアル端末３（１）、３（２）、…とによって構成されるものである。
【００３１】
交換制御装置１は、いわゆるボタン電話システムにおける主装置に、あるいは、ＩＰ電話システムにおけるＳＩＰ（Session Initiation Protocol）サーバに相当するいわゆる通信制御装置である。交換制御装置１は、外線の発着信の制御、内線の発着信の制御、通信回線の交換制御等を行って、自機に収容（接続）される子機（内線端末）と電話網に接続される外線端末との間、あるいは、自機に接続される子機間における通信を制御する。
【００３２】
交換制御装置１に対して接続されているＡＰ２（１）、２（２）、…のそれぞれは、無線ＬＡＮデュアル端末３（１）、３（２）、…を、交換制御装置１に対して無線ＬＡＮ接続させるものである。そして、無線ＬＡＮデュアル端末３（１）、３（２）、…は、ＡＰ２（１）、２（２）、…のいずれかと通信可能な電話システム１０の構成エリア内においては、近隣に位置するＡＰ２（１）、２（２）、…のいずれかを通じて交換制御装置１に接続される。この場合、無線ＬＡＮデュアル端末３（１）、３（２）、…のそれぞれは、交換制御装置１の子機（内線端末）として機能する。
【００３３】
なお、ＡＰ２（１）、２（２）、…と、無線ＬＡＮデュアル端末３（１）、３（２）、…との間において用いられる通信規格は、例えば、ＩＥＥＥ８０２．１１ｂやＩＥＥＥ８０２．１１ｇ、これらの後継規格などである。なお、ＩＥＥＥは、「The Institute of Electrical and Electronics Engineers, Inc.」の略称である。
【００３４】
さらに、無線ＬＡＮデュアル端末３（１）、３（２）、…のそれぞれは、電話システム１０の構成エリア外に位置するときには、携帯電話網５の基地局を通じて携帯電話網５に接続可能とされ、通常の携帯電話端末として機能する。図１においては、無線ＬＡＮデュアル端末３（１）、３（２）、…のそれぞれは、例えば、基地局５Ａを通じて携帯電話網５に接続される場合を示している。
【００３５】
このように、無線ＬＡＮデュアル端末３（１）、３（２）、…のそれぞれは、ＡＰ２（１）、２（２）、…を通じて交換制御装置１に接続され、交換制御装置１の子機としても利用可能なものであるし、また、通常の携帯電話端末としても利用可能なものである。
【００３６】
そして、この実施の形態において、無線ＬＡＮデュアル端末３（１）、３（２）、…のそれぞれは、電源が投入されている間においては、定期的に無線ＬＡＮのＡＰ（アクセスポイント）と通信可能か否かを確認する。そして、無線ＬＡＮデュアル端末３（１）、３（２）、…のそれぞれは、交換制御装置１に接続されたＡＰと通信可能な場合には、当該ＡＰを通じて交換制御装置１に接続し、交換制御装置１の子機として機能する。逆に、ＡＰ（アクセスポイント）と通信不能な場合には、携帯電話網５の近隣の基地局に位置登録し、通常の携帯電話端末として機能する。
【００３７】
このように、無線ＬＡＮデュアル端末３（１）、３（２）、…のそれぞれは、ユーザーの手を煩わせることなく、交換制御装置１の子機（内線端末）として機能するのか、携帯電話端末として機能するのかを切り換えることができるようにしている。なお、無線ＬＡＮデュアル端末３（１）、３（２）、…のそれぞれのユーザーが、無線ＬＡＮデュアル端末に対して所定の操作を行うことによって、交換制御装置１の子機（内線端末）として機能するのか、携帯電話端末として機能するのかを切り換えるようにすることも可能である。
【００３８】
そして、この第１の実施の形態の電話システム１０においては、無線ＬＡＮデュアル端末３（１）、３（２）、…のそれぞれにおいて、着信時に作成した着信履歴を用いた発信を適切に行うことができ、しかも使い勝手が悪くしないようにするための方策を交換制御装置１が講じるようにしている。
【００３９】
具体的に交換制御装置１は、外線優先モードで機能し、外線からの着信については、発信元番号（発番号）をそのまま子機（内線端末）に通知する。しかし、自機に収容（接続）された子機から自機に収容（接続）された他の子機への発信である場合には、着信先の子機には、発番号に内線からの発信であることを示す識別子（発信元が属する系を識別するための識別子）を付加して通知する。
【００４０】
これにより、無線ＬＡＮデュアル端末３（１）、３（２）、…のそれぞれは、交換制御装置１から通知される発番号を含む着信履歴を形成し、これを保持することができる。そして、着信履歴の発信元番号（発番号）に所定の識別子が付加されているか否かに応じて、当該発信元が外線の端末か、内線の端末かを確実に区別することができる。これにより、着信履歴を用いた発信時に交換制御装置１が誤発信を行うことがないようにすることができる。
【００４１】
したがって、無線ＬＡＮデュアル端末３（１）、３（２）、…のそれぞれは、自機が交換制御装置１の子機（内線端末）として機能している場合であっても、また、携帯電話端末として機能している場合であっても、自機に作成した着信履歴を用いて、外線の相手先か、内線の相手先かをユーザーが意識することなく、適切に目的とする相手先に電話をかけることができるようにされる。
【００４２】
なお、この場合、複雑な操作は一切行うことなく、着信履歴から目的とする相手先を選択するだけで、電話網４や携帯電話網５などの公衆網に接続された端末に対して電話をかけることができる。
【００４３】
なお、無線ＬＡＮデュアル端末３（１）、３（２）、…のそれぞれが、携帯電話端末として機能している場合に、自機に作成した着信履歴を用いて、交換制御装置１に接続された他の内線端末に対して内線電話をかけることはできない。このような場合には、当該発信をしないようにし、内線発信できない旨を通知するなどのことができるようにされる。
【００４４】
［交換制御装置１の構成例］
次に、この第１の実施の形態の電話システム１０の交換制御装置１の構成例について説明する。図２は、この実施の形態の交換制御装置１の構成例を説明するためのブロック図である。  
図２に示すように、交換制御装置１は、外線インターフェース（以下外線Ｉ／Ｆと略称する。）１１、スイッチ部（図２ではＳＷと記載。）１２、内線インターフェース（以下内線Ｉ／Ｆと略称する。）１３、制御部１４、メモリ部１５を備えたものである。制御部１４は、呼制御部１４１、子機登録管理部１４２、ダイヤル解析部１４３を備えたものである。また、メモリ部１５は、ＲＯＭ１５１、ＲＡＭ１５２、子機登録メモリ１５３を備えたものである。
【００４５】
図２において点線で囲んで示した制御部１４とメモリ部１５とは、ＣＰＵバスを通じて接続されてマイクロコンピュータの構成とされた部分である。制御部１４は、図示しないＣＰＵやその周辺回路を有し、メモリ部１５のＲＯＭ１５１からプログラムを読み込んで実行することにより、詳しくは後述もするが電話制御に用いる上記の呼制御部１４１等の各種の手段を実現するものである。
【００４６】
なお、メモリ部１５のＲＯＭ１５１は、上述のように、制御部１４において実行される種々のプログラムや処理に必要になる各種のデータが予め記憶されたものである。また、ＲＡＭ１５２は、種々の処理の実行時において、途中結果を一次記憶するなど、主に作業領域として用いられるものである。また、子機登録メモリ１５３は、自機に収容されることにより子機（内線端末）となる無線ＬＡＮデュアル端末に関する情報を管理するものである。
【００４７】
そして、外線Ｉ／Ｆ１１は、制御部１４の制御により、ＰＳＴＮ、ＩＳＤＮ、ＩＰ網などの電話網（公衆網）４からの電話回線を終端制御することにより、電話網４からの着信通知の検出や電話網４への発信指示を行う機能を有している。また、外線Ｉ／Ｆ１１は、電話網４を通じて送信されてくる信号を自機において処理可能な形式に変換して取り込んだり、逆に、自機から電話網４に送出する信号を電話網４に送出する形式に変換して送出したりする機能を有する。なお、ＰＳＴＮは、「Public Switched Telephone Networks」の略称であり、ＩＳＤＮは、「Integrated Services Digital Network」の略称である。また、ＩＰ網のＩＰは「Internet Protocol」の略称である。
【００４８】
内線Ｉ／Ｆ１３は、図２に示すように、ＡＰ２（１）、２（２）、…を通じて無線ＬＡＮ接続される無線ＬＡＮデュアル端末３（１）、３（２）、…を子機（内線端末）として収容する。そして、内線Ｉ／Ｆ１３は、子機（内線端末）として収容された無線ＬＡＮデュアル端末３（１）、３（２）、…のそれぞれとの間で、ＡＰ２（１）、２（２）、…を通じて各種信号や各種データをやり取りする機能を有する。
【００４９】
すなわち、内線Ｉ／Ｆ１３は、子機（内線端末）として収容された無線ＬＡＮデュアル端末３（１）、３（２）、…のそれぞれからの信号を自機において処理可能な形式に変換して取り込む機能を有する。また、内線Ｉ／Ｆ１３は、自機から子機（内線端末）として収容された無線ＬＡＮデュアル端末３（１）、３（２）、…に対する信号を、内線端末に対する形式に変換して送出する機能を有する。
【００５０】
スイッチ部１２は、制御部１４の制御に応じて、外線Ｉ／Ｆ１１と内線Ｉ／Ｆ１３との伝送路（通話路）を交換接続する機能を有している。すなわち、スイッチ部１２は、制御部１４からの指示に応じて、外線Ｉ／Ｆ１１の電話回線用通話パスと、内線Ｉ／Ｆ１３を通じて収容された無線ＬＡＮデュアル端末３（１）、３（２）、…用の通話パスとを任意に交換接続する機能を実現している。
【００５１】
そして、制御部１４は、上述したように、呼制御部１４１、子機登録管理部１４２、ダイヤル解析部１４３を備えた構成となっている。呼制御部１４１は、電話システム１０全体の呼制御を行う手段であり、メモリ部１５の所定の不揮発性メモリの呼制御情報（図示せず）に基づいて、外線Ｉ／Ｆ１１及びスイッチ部１２を制御する。同時に、呼制御部１４１は、内線Ｉ／Ｆ１３及びＡＰ２（１）、２（２）、…を介して、自機に内線端末として収容された無線ＬＡＮデュアル端末と各種制御情報をやり取りする。これにより、呼制御部１４１は、自機に収容された当該無線ＬＡＮデュアル端末による外線発着信動作や、自機に子機として収容された無線ＬＡＮデュアル端末間の内線の発着信動作を制御することができるようにしている。
【００５２】
子機登録管理部１４２は、ＡＰ２（１）、２（２）、…、及び内線Ｉ／Ｆ１３を通じて、定期的に無線ＬＡＮデュアル端末３（１）、３（２）、…との間で接続確認のための通信を行うようにする。そして、子機登録管理部１４２は、接続が確認できた無線ＬＡＮデュアル端末であって、後述する子機登録メモリ１５３に接続登録がされていないものについては接続登録を行う。また、子機登録管理部１４２は、接続確認ができていないにもかかわらず、子機登録メモリ１５３に接続登録がされている無線ＬＡＮデュアル端末については接続登録を抹消する処理を行う。
【００５３】
なお、子機登録管理部１４２による無線ＬＡＮデュアル端末の子機としての接続登録の抹消は、連続して所定回（例えば３回）、接続確認が取れなかった場合に行うようにする。これにより、電話システム１０の構築エリア内に位置しているにもかかわらず、障害物などの影響によりたまたま１、２回接続できなかっただけで、接続登録の抹消をしてしまうことを防止することができる。
【００５４】
図３は、子機登録管理部１４２の機能により更新される子機登録メモリ１５３の管理情報（登録情報）の例について説明するための図である。図３に示すように、子機登録メモリ１５３には、交換制御装置１に接続可能な無線ＬＡＮデュアル端末に割り当てられた内線番号と、各無線ＬＡＮデュアル端末の接続登録の有無を示す情報とが記憶保持するようにされている。
【００５５】
この実施の形態の無線ＬＡＮデュアル端末３（１）、３（２）、…のそれぞれは、自機に電源が投入されている間においては、自機に割り当てられた内線番号を含む、接続要求を定期的に送出している。制御部１４の子機登録管理部１４２は、定期的に送信されてくる接続要求をＡＰ２（１）、２（２）、…、及び内線Ｉ／Ｆ１３を通じて受信する。そして、メモリ部１５の子機登録メモリ１５３の管理情報を確認し、受信した接続要求に含まれる内線番号の無線ＬＡＮデュアル端末の接続登録の有無を示す情報が、「１（有り）」の状態になっているか否かを判断する。この場合に、「１（有り）」の状態になっていれば何もしないが、「０（無し）」の状態になっている場合には、「１（有り）」の状態に更新する。
【００５６】
また、子機登録管理部１４２は、子機登録メモリ１５３に接続登録の有無を示す情報が、「１（有り）」の状態になっている無線ＬＡＮデュアル端末については、所定回の接続要求を受信すべき期間内に、所定回の接続要求を受信しなかった場合に、接続登録の有無を示す情報を、「１（有り）」から「０（無し）」の状態に更新する。
【００５７】
このようにして、子機登録管理部１４２は、定期的に送信するようにされている無線ＬＡＮデュアル端末からの接続要求の有無に基づいて、子機登録メモリ１５３の接続登録の有無を示す情報を更新するようにしている。そして、子機登録メモリ１５３において、接続登録が「１（有り）」とされた無線ＬＡＮデュアル端末については、交換制御装置１は、自機に収容された子機（内線端末）として認識し、内線端末として扱うことができるようにしている。
【００５８】
また、制御部１４のダイヤル解析部１４３は、自機に子機として収容された無線ＬＡＮデュアル端末３（１）、３（２）、…から発信（通信要求）が発生した場合に、当該発信が、電話網４（外線）への発信（外線発信）か、交換制御装置１に収容された他の子機への発信（内線発信）かを解析する。
【００５９】
具体的に、ダイヤル解析部１４３は、発信元の無線ＬＡＮデュアル端末からの通信要求に含まれる目的とする相手先を特定する相手先番号（外線番号や内線番号）に、所定の識別子が付加されているか否かを解析し、外線発信か内線発信かを区別する。ここで、所定の識別子は、当該相手先が属する系を識別するためのものである。
【００６０】
ここで、発番号に付加される所定の識別子の利用態様について説明する。この実施の形態の電話システム１０において、交換制御装置１の子機（内線端末）として機能することが可能な無線ＬＡＮデュアル端末３（１）、３（２）、…のそれぞれは、いわゆるテンキーを用いて目的とする相手先の電話番号を入力して発信することができる。この場合、当該無線ＬＡＮデュアル端末においては、例えば、予め決められた所定の操作キーを押下操作することによって、目的とする相手先の内線番号に対して、当該相手先が交換制御装置１の子機（内線端末）であることを示す識別子を付加して発信することができる。
【００６１】
また、無線ＬＡＮデュアル端末の通常の利用形態としては、自機のメモリに作成される着信履歴のデータや自機に予め登録される電話帳のデータに基づいて、目的とする相手先のデータを選択するだけで電話をかけるようにする場合が多い。このため、以下に詳述するが、子機間の通信時においては、発信元の子機の内線番号に、当該発信元が属する系を識別するための識別子（内線端末であることを示す識別子）が、交換制御装置１において自動的に付加されて着信先に通知される。したがって、着信先の子機においては、自機への着信が交換制御装置１に接続された他の子機からの発信であった場合には、所定の識別子が付加された内線番号を発信元とする着信履歴を形成することができる。
【００６２】
また、電話帳に交換制御装置１の子機（内線端末）の内線番号を登録する場合には、当該内線番号に対して、子機が属する系を識別するための識別子を付加して登録する。すなわち、電話帳に登録する交換制御装置１の子機の内線番号には、当該番号により特定される子機は、交換制御装置１の子機であることを示す識別子を付加して登録する。なお、通常、交換制御装置１に何台の子機が接続されるかは決まっているし、また、それぞれの子機に割り当てられる内線番号も決まっている。このため、無線ＬＡＮデュアル端末を当該無線ＬＡＮデュアル端末が有する例えばＵＳＢ（Universal Serial Bus）等の外部インターフェースを通じてパーソナルコンピュータなどに接続し、交換制御装置１の子機についての電話帳データを一括して無線ＬＡＮデュアル端末に登録することもできるようにされる。
【００６３】
このように、この実施の形態においては、交換制御装置１に収容される子機間で通信を行う場合には、通信要求（発信要求）に含まれる着信先（通信の相手先）の内線番号には着信先が交換制御装置１の子機（内線端末）であることを示す所定の識別子が必ず付加されている。
【００６４】
このため、ダイヤル解析部１４３において、上述したように、自機に収容された子機（内線端末）からの通信要求に含まれる着信先の電話番号を解析することにより、内線端末からの発信が、外線への発信か内線への発信かを解析することができるのである。
【００６５】
このダイヤル解析部１４３の解析結果が、自機に収容された子機から自機に収容された他の子機への内線発信であることを示しているとする。この場合、呼制御部１４１は、上述もしたように、相手先（着信先）に通知すべき発信元の内線番号に、発信元が属する系を識別するための識別子を付加して着信先に通知する。すなわち、この場合、呼制御部１４１は、発信元の内線番号に子機からの発信であることを示す識別子を付加して、着信先に通知することになる。
【００６６】
逆に、ダイヤル解析部１４３の解析結果が、自機に収容された内線端末から外線端末への外線発信であることを示しているとする。この場合、呼制御部１４１は、相手先（着信先）に通知すべき発信元の電話番号に所定の識別子は付加することは無く、発信元の電話番号をそのまま通知することになる。
【００６７】
なお、ダイヤル解析部１４３は、自機に接続された内線端末からの発信が外線への発信か内線への発信かを区別するものであるので、外線から自機への着信については、何ら関与することは無い。
【００６８】
また、図３においては、説明を簡単にするため、子機登録メモリ１５３には、無線ＬＡＮデュアル端末に割り当てられた内線番号と、接続登録の有無を示す情報が管理されるものとして説明した。しかしこれに限るものではない。子機登録メモリ１５３においては、交換制御装置１に接続可能な無線ＬＡＮデュアル端末の例えば製造番号などの固有の識別情報や外線電話番号、型番、使用者名（ユーザー名）、その他の種々の情報を一括して管理するように構成することも可能である。
【００６９】
次に、交換制御装置１の子機からの通信要求と、ダイヤル解析部１４３の解析結果とに基づいて、呼制御部１４１が形成する通信要求の概要（具体例）について説明する。図４は、内線端末からの通信要求（発信要求）の概要と、これに応じて交換制御装置１においてダイヤル解析部１４３と呼制御部１４１の機能により形成される通信要求の概要とについて説明するための図である。
【００７０】
図４に示すように、交換制御装置１の子機（内線端末）からの通信要求は、当該要求が通信要求（発信要求）であることを示すメッセージと、目的とする着信先を示す着信先番号と、発信元を示す発信元番号とを有する。
【００７１】
そして、内線端末からの通信要求が、例えば、図４（Ａ１）に示すように、着信先番号が目的とする相手先の外線番号である「０３−１２３４−５６７８」であり、発信元番号が発信端末の内線番号である「１００」であったとする。この場合、着信先電話番号に内線を示す所定の識別子は存在しない。したがって、交換制御装置１においては、特別な処理を行うことなく、図４（Ａ２）に示すように、着信先番号が目的とする相手先の外線番号である「０３−１２３４−５６７８」であり、発信元番号が「交換制御装置１の外線番号＊１００」となる発信要求を形成して送出することになる。
【００７２】
なお、発信元番号に、交換制御装置１に割り当てられた電話番号（外線番号）が付加するようにされるのは、着信先が外線であるため、どの交換制御装置のどの子機（内線端末）かを特定できるようにするためである。なお、発信元番号に、交換制御装置１に割り当てられた電話番号（外線番号）だけを示し、内線番号は示さないようにすることも可能である。
【００７３】
また、内線端末からの通信要求が、例えば、図４（Ｂ１）に示すように、着信先番号が目的とする内線端末の内線番号である「ＩＣＭ１１０」であり、発信元番号が発信端末の内線番号である「１００」であったとする。ここで、着信先番号「ＩＣＭ１１０」の文字列「ＩＣＭ」は、目的とする着信先の端末が属する系を識別するための所定の識別子である。換言すれば、この実施の形態において、文字列「ＩＣＭ」は、同じ交換制御装置１に接続された子機（内線端末）であることを示す識別子である。
【００７４】
したがって、ダイヤル解析部１４３における解析結果は、交換制御装置１の子機からの通信要求は交換制御装置１に接続された他の子機への通信要求であることを示したものとなる。このため、呼制御部１４１においては、図４（Ｂ２）に示すように、着信先番号が目的とする相手先の内線番号である「１１０」であり、発信元番号（発番号）が「ＩＣＭ１００」となる通信要求を形成して送出することになる。
【００７５】
なお、図４（Ｂ２）において、着信先番号から識別子が削除されているのは、正しく着信先の内線端末を特定することができるようにするためである。また、発信元番号に識別子「ＩＣＭ」が付与されるのは、上述もしたように、着信先の内線端末から着信履歴を用いた発信を行う場合に、外線への誤発信を防止すると共に、無線ＬＡＮデュアル端末の使い勝手が悪くならないようにするためである。
【００７６】
このように、この実施の形態の交換制御装置１は、自機に接続された子機から、自機に接続された他の子機への発信の場合、着信先の子機に対しては、発信元の子機の内線番号（発番号）に、所定の識別子を付与して通知するようにしている。また、この実施の形態の交換制御装置１は、自機に接続された子機に対する外線からの着信の場合には、発信元の電話番号（発番号）に対しては、所定の識別子を付与することは無い。
【００７７】
これにより、交換制御装置１に子機として接続された無線ＬＡＮデュアル端末においても、自機への通信要求（着信要求）が交換制御装置１に接続された子機からのものか、電話網４を通じて着信した外線からのものかを明確に区別することができるようにされる。そして、当該無線ＬＡＮデュアル端末において、交換制御装置１からの通信要求に応じた着信履歴を形成して記憶保持することができるようにされる。
【００７８】
［無線ＬＡＮデュアル端末３の構成例］
次に、この第１の実施の形態の電話システム１０において、交換制御装置１に対して子機として接続可能な無線ＬＡＮデュアル端末３（１）、３（２）、…の構成例について説明する。図５は、この第１の実施の形態の電話システムにおいて、交換制御装置１の子機（内線端末）として機能すると共に、携帯電話端末としても機能することが可能な無線ＬＡＮデュアル端末３（１）、３（２）、…の構成例を説明するためのブロック図である。なお、この実施の形態において、無線ＬＡＮデュアル端末３（１）、３（２）、…のそれぞれは同様に構成されるものである。このため、ここでは、無線ＬＡＮデュアル端末３（１）、３（２）、…を総称して、無線ＬＡＮデュアル端末３と呼ぶこととする。
【００７９】
図５に示すように、この実施の形態の無線ＬＡＮデュアル端末３は、送受信アンテナ３１、携帯電話通信部３２、送受信アンテナ３３、無線ＬＡＮ通信部３４、音声処理部３５、受話器としてのスピーカ３６、送話器としてのマイクロホン３７を備えている。また、無線ＬＡＮデュアル端末３は、図５に示すように、ＬＣＤ（Liquid Crystal Display）コントローラ（図５ではＬＣＤＣＴＬと記載）３８と、比較的に大きな表示画面を有するＬＣＤ３９を備えると共に、着信音や警告音を発生させるリンガ４０を備えている。
【００８０】
さらに、無線ＬＡＮデュアル端末３は、図５に示すように、無線ＬＡＮデュアル端末３の各部を制御する制御部５０を備えている。制御部５０は、ＣＰＵ（Central Processing Unit）５１、ＲＯＭ（Read only Memory）５２、ＲＡＭ（Random Access Memory）５３、ＥＥＰＲＯＭ（Electrically Erasable and Programmable ROM）５４が、ＣＰＵバス５５を通じて接続されて構成されたマイクロコンピュータである。
【００８１】
ここで、ＣＰＵ５１は、後述するＲＯＭ５２に記憶保持されているプログラムを読み出して実行し、各部に供給する制御信号を形成してこれを各部に供給したり、また、各部からの情報の提供を受けて、これを処理したりする。このように、ＣＰＵ５１は、無線ＬＡＮデュアル端末３において、制御の主体となるものである。ＲＯＭ５２は、上述のように、ＣＰＵ５１において実行される種々のプログラムや処理に必要になる種々のデータが予め記憶保持するようにされているものである。ＲＡＭ５３は、種々の処理の途中結果を一時記憶するなど、主に作業領域として用いられるものである。また、ＥＥＰＲＯＭ５４は、いわゆる不揮発性メモリであり、無線ＬＡＮデュアル端末３の電源が落とされた場合であっても保持しておくべきデータ、例えば、種々の設定パラメータや、機能強化のための追加プログラムなどが記憶保持される。
【００８２】
そして、図５に示すように、制御部５０には、ＣＰＵバス５５を介して、操作部６１が接続されている。操作部６１は、例えば、いわゆるテンキー（数字キー）、所定の記号キー、種々のファンクションキー、回動操作が可能なダイヤルキーなどを備え、ユーザーからの操作入力を受け付けて、これに応じた電気信号を形成し、これを制御部５０に供給することができるものである。これにより、制御部５０は、操作部６１を通じて受け付けた操作入力に応じて各部を制御し、ユーザーの指示に応じた処理を、当該無線ＬＡＮデュアル端末３において実行することができるようにされる。
【００８３】
さらに、制御部５０には、電話帳メモリ７１と、着信履歴メモリ７２とが接続されている。これらはいずれも不揮発性メモリである。電話帳メモリ７１には、自機から電話をかけたり、電子メールを送信したりする相手先の電話番号、電子メールアドレス、氏名（名称）、住所などのいわゆる電話帳データが予め登録される。図６は、電話帳メモリ７１において管理される情報の例を説明するための図である。図６に示すように、電話帳メモリ７１には、電話番号、名前、メールアドレス、住所などの情報が、予め登録され、管理するようにされる。この電話帳メモリ７１に登録された情報から目的とする相手先の情報を選択するだけで、電話をかけるなどのことができるようにされる。
【００８４】
なお、電話網４や携帯電話網５などの公衆網を通じて通信を行ういわゆる外線の相手先の電話番号は、図６に示すように、例えば「０３−１２３４−５６７８」のように、外線番号をそのまま電話帳メモリ７１に登録する。一方、交換制御装置１の子機として機能している場合に用いる他の子機の内線番号は、図６に示すように、例えば「ＩＣＭ１１０」のように、相手先が内線端末であることを示す所定の識別子「ＩＣＭ」を付加して電話帳メモリ７１に登録することになる。なお、図６において、電話番号「ＩＣＭ１１０」は、交換制御装置１に接続されている例えば「山田さん」の内線端末に対する内線番号である。
【００８５】
また、着信履歴メモリ７２には、自機への着信が発生した場合に、受信した通信要求に含まれる発信元番号（発番号）、着信時刻、当該発信番号に対応する番号が電話帳メモリ７１に存在する場合には対応する相手先の名前（名称）等から成る着信履歴が登録される。図７は、着信履歴メモリ７２において管理される管理情報の例を説明するための図である。図７に示すように、発信元番号、発信元名、着信時刻などの情報が、自機に着信が発生した場合に、通信要求に含まれる情報に基づいて作成されて登録される。この着信履歴メモリ７２に登録された情報を参照することにより、自機への過去の着信にいて確認することができると共に、着信履歴メモリ７２の情報から目的とする相手先の電話番号を選択するだけで、電話をかけることができるようにされる。
【００８６】
なお、電話網４や携帯電話網５などの公衆網を通じて着信したいわゆる外線からの着信の場合の電話番号は、図７に示すように、例えば「０３−１２３４−５６７８」のように、外線番号がそのまま登録される。一方、交換制御装置１の子機として機能している場合に、他の子機からの着信の場合の電話番号（内線番号）には、上述もしたように、交換制御装置１において所定の識別子が付加されて提供される。このため、着信履歴には、図７に示すように、例えば「ＩＣＭ１１０」のように、相手先が内線端末であることを示す所定の識別子「ＩＣＭ」が付加された状態で登録される。なお、図７において、電話番号「ＩＣＭ１１０」は、交換制御装置１に接続されている例えば「山田さん」の内線端末に対する内線番号である。
【００８７】
そして、図５に示した無線ＬＡＮデュアル端末３において、主に送受信アンテナ３１と携帯電話通信部３２とが、携帯電話網５を通じて通信を行い、携帯電話端末としての機能を実現する部分である。また、主に送受信アンテナ３３と無線ＬＡＮ通信部３４とがアクセスポイントを通じて交換制御装置１に接続し、交換制御装置１の子機（内線端末）としての機能を実現する部分である。
【００８８】
［無線ＬＡＮデュアル端末３の動作概要］
このように構成されるこの実施の形態の無線ＬＡＮデュアル端末３の動作概要について説明する。まず、無線ＬＡＮデュアル端末３が、携帯電話端末として機能している場合の動作について説明する。
【００８９】
［携帯電話端末として機能している場合の発信動作］
例えば、電話帳メモリ７１の情報に基づいて発信する場合には、操作部６１を通じて電話帳データをＬＣＤ３９に表示する所定の操作を行うと共に、目的とする相手先の電話番号を選択し、発信する操作を行うようにする。すると、制御部５０は、選択された相手先の電話番号を含む通信要求を形成し、これを携帯電話通信部３２、送受信アンテナ３１を通じて送信する。この通信要求は、携帯電話網５の基地局及び携帯電話網５を通じて、目的とする相手先に送信される。そして、当該通信要求に応じて目的とする通信の相手先から応答メッセージが帰ってきたら、制御部５０は、携帯電話通信部３２、音声処理部３５を制御して通信回線を接続し、相手先との間で、受話器３６、送話器３７を通じた通話ができるようにされる。
【００９０】
［携帯電話端末として機能している場合の着信動作］
また、送受信アンテナ３１、携帯電話通信部３２を通じて、自機への通信要求（着信）を受信したと制御部５０が検知すると、制御部５０は、図７に示したような着信履歴データを形成し、これを着信履歴メモリ７２に登録する。そして、ＬＣＤコントローラ３８を通じて、ＬＣＤ３９に発信元の電話番号などの情報を表示すると共に、リンガ４０を制御して、着信音を放音させる。
【００９１】
これに応じて、ユーザーがオフフックする操作（応答する操作）を行った場合には、制御部５０は、応答メッセージを形成し、これを携帯電話通信部３２、送受信アンテナ３１を通じて相手先に送信する。そして、制御部５０は、携帯電話通信部３２、音声処理部３５を制御して通信回線を接続し、相手先との間で、受話器３６、送話器３７を通じた通話ができるようにされる。
【００９２】
次に、無線ＬＡＮデュアル端末３が、交換制御装置１の子機（内線端末）として機能している場合の動作について説明する。この場合には、全ての通信は、交換制御装置１を介して行われることになる。このため、以下においては説明を簡単にするため、必要な範囲で交換制御装置１における動作をも含めて説明する。また、ここでも、上述した携帯電話端末として機能している場合の動作の説明と同様に、まず、電話帳メモリ７１の情報に基づいて発信する場合について説明する。
【００９３】
［子機として機能している場合の外線への発信動作］
この場合においても、ユーザーは、操作部６１を通じて電話帳データを表示する所定の操作を行うと共に、目的とする相手先の電話番号を選択し、発信する操作を行うようにする。すると、制御部５０は、選択された相手先の電話番号を含む通信要求を形成し、これを無線ＬＡＮ通信部３４、送受信アンテナ３３を通じて送信する。当該通信要求は、交換制御装置１に接続されたＡＰ２（１）、２（２）、…のいずれかを通じて交換制御装置１に供給され、交換制御装置１は内線Ｉ／Ｆ１３を通じてこれを受信する。
【００９４】
交換制御装置１においては、ダイヤル解析部１４３の機能により、子機からの通信要求は外線への通信要求（外線発信）か、他の子機への通信要求（内線発信）かを判断する。ここで、子機からの当該通信要求が電話網４に接続された外線端末への通信要求であったとする。この場合には、交換制御装置１の制御部１４の呼制御部１４１は、図４（Ａ２）に示した態様の外線端末への通信要求を形成し、これを外線Ｉ／Ｆ１１を通じて電話網４に送出して、目的とする相手先に送信する。
【００９５】
これに応じて、相手先から応答メッセージが返信され、外線Ｉ／Ｆ１１を通じてこれを受信すると、交換制御装置１の制御部１４は、内線Ｉ／Ｆを通じて当該応答メッセージを発信元の無線ＬＡＮデュアル端末３に送信する。そして、交換制御装置１の制御部１４は、外線Ｉ／Ｆ１１、スイッチ部１２、内線Ｉ／Ｆ１３を制御することによって、発信元である自機の内線端末と、目的とする外線端末との間に通信回線を接続するようにする。
【００９６】
同時に、発信元の無線ＬＡＮデュアル端末３においても、制御部５０は、目的とする相手先からの応答メッセージを受信すると、無線ＬＡＮ通信部３４、音声処理部３５を制御して通信回線を接続し、相手先との間で、受話器３６、送話器３７を通じた通話ができるようにする。
【００９７】
［子機として機能している場合の子機間の発着信動作］
一方、子機からの当該内線端末からの通信要求が、交換制御装置１に接続された他の子機への通信要求であったとする。この場合には、交換制御装置１の制御部１４の呼制御部１４１は、図４（Ｂ２）に示した態様の他の子機への通信要求を形成し、これを内線Ｉ／Ｆ１３、ＡＰ２（１）、２（２）、…を通じて着信先の子機に送信する。このように、この場合に送信される通信要求の発番号は、発信元が内線端末であることを示す識別子「ＩＣＭ」が付加されたものとなる。これにより、着信先の子機においては、図７に示したように、発信元の内線番号に識別子「ＩＣＭ」が付加された態様で着信履歴を形成することができるようにされる。
【００９８】
そして、着信先の子機においては、送受信アンテナ３３、無線ＬＡＮ通信部３４を通じて、自機への通信要求（着信）を受信し、これを制御部５０が検知する。この場合、着信先の子機の制御部５０は、図７の２行目に示したように、識別子「ＩＣＭ」が付加された内線番号を発信先番号とする着信履歴データを形成し、これを着信履歴メモリ７２に登録する。この後、着信先の子機の制御部５０は、ＬＣＤコントローラ３８を通じて、ＬＣＤ３９に発信元の電話番号などの情報を表示すると共に、リンガ４０を制御して、着信音を放音させる。そして、着信先の子機のユーザーが、オフフックする操作（応答する操作）を行った場合には、制御部５０は、応答メッセージを形成し、これを無線ＬＡＮ通信部３４、送受信アンテナ３３を通じて相手先に送信する。
【００９９】
この後、相手先（着信先）から応答メッセージが返信され、ＡＰ２（１）、２（２）、…、及び内線Ｉ／Ｆ１３を通じてこれを受信すると、交換制御装置１の制御部１４は、内線Ｉ／Ｆを通じて当該応答メッセージを発信元の子機に送信する。そして、交換制御装置１の制御部１４は、内線Ｉ／Ｆ１３を制御することによって、発信元である自機の子機と、目的とする着信先の子機との間に通信回線を接続するようにする。
【０１００】
同時に、発信元の無線ＬＡＮデュアル端末３においても、制御部５０は、目的とする相手先からの応答メッセージを受信すると、無線ＬＡＮ通信部３４、音声処理部３５を制御して通信回線を接続するようにする。これにより、相手先である他の子機との間で、受話器３６、送話器３７を通じた通話（内線通話）ができるようにされる。
【０１０１】
［子機として機能している場合の外線の着信動作］
また、交換制御装置１において、外線Ｉ／Ｆ１１を通じて受信した通信要求が、自機に収容された子機に対するものである場合には、制御部１４は、当該通信要求を、内線Ｉ／Ｆ１３、ＡＰ２（１）、２（２）、…を通じて、目的とする子機に送信する。当該子機は、送受信アンテナ３３、無線ＬＡＮ通信部３４を通じて、自機への通信要求（着信）を受信したと制御部５０が検知すると、制御部５０は、図７の１行目に示したように、発信元番号に発信先の外線端末の外線番号を有する着信履歴データを形成し、これを着信履歴メモリ７２に登録する。この場合、発信元は外線端末であるので、発番号に所定の識別子が付加されることは無い。そして、ＬＣＤコントローラ３８を通じて、ＬＣＤ３９に発信元の電話番号などの情報を表示すると共に、リンガ４０を制御して、着信音を放音させる。
【０１０２】
これに応じて、ユーザーがオフフックする操作（応答する操作）を行った場合には、制御部５０は、応答メッセージを形成し、これを無線ＬＡＮ通信部３４、送受信アンテナ３３を通じて相手先に送信するようにする。そして、交換制御装置１は、制御部１４が当該応答メッセージを外線Ｉ／Ｆ１１を通じて発信元の外線端末に送信すると共に、外線Ｉ／Ｆ１１、スイッチ部１２、内線Ｉ／Ｆ１３を制御して、発信元の外線端末と自機の当該子機との間に通信回線を接続するように交換制御する。同時に、着信先の子機においては、制御部５０は、携帯電話通信部３２、音声処理部３５を制御して通信回線を接続するようにし、相手先との間で、受話器３６、送話器３７を通じた通話ができるようにされる。
【０１０３】
このように、この実施の形態の通信システムにおいては、無線ＬＡＮデュアル端末３が交換制御装置１の子機（内線端末）として機能している場合にも、着信履歴メモリ７２には着信履歴が形成される。
【０１０４】
外線から内線端末への着信の場合には、交換制御装置１は、発信先の電話番号をそのまま着信先の内線端末に対して通知する。したがって、図７の１行目に示したように、着信先の内線端末においては、発信元から通知される当該発信元の電話番号（外線番号）をそのまま用いた着信履歴が形成される。
【０１０５】
これに対して、内線から内線端末への着信の場合には、交換制御装置１は、発信元の電話番号（内線番号）に対して、発信元の端末が属する系を識別するための識別子、すなわち、発信元が内線端末であることを示す識別子「ＩＣＭ」を付加して着信先に通知する。したがって、内線の着信先の内線端末においては、図７の２行目に示したように、発信元から通知される当該発信元の電話番号（内線番号）に対して、識別子「ＩＣＭ」が付加された内線番号を用いた着信履歴が形成される。
【０１０６】
また、無線ＬＡＮデュアル端末３が携帯電話端末として機能している場合に形成される着信履歴は、図７の１行目に示した場合と同様に、発信元から通知される当該発信元の電話番号（外線番号）をそのまま用いた着信履歴が形成される。
【０１０７】
これにより、当該無線ＬＡＮデュアル端末３が交換制御装置１の内線端末として機能している場合において、自機の着信履歴メモリ７２に形成された着信履歴データを用いて発信を行う場合、通信の相手先が外線端末か、交換制御装置１に接続された交換制御装置かを交換制御装置１が確実に判別することができるので、交換制御装置１が誤発信をすることがないようにすることができる。すなわち、交換制御装置１が、内線端末からの他の内線端末への発信であるのに外線へ誤発信してしまったり、外線への発信であるのに他の内線端末に誤発信してしまったりするといった不都合を発生させないようにすることができる。
【０１０８】
そして、図７に示した着信履歴メモリ７２の着信履歴と同様に、電話帳メモリ７１に登録する電話帳データの電話番号について登録するようにしておくことにより、電話帳データについても、着信履歴データと同様に使用することができる。すなわち、無線ＬＡＮデュアル端末３が交換制御装置１の内線端末として機能している場合に、電話帳データを用いた発信を行うようにしても、交換制御装置１が内線端末からの通信要求に応じて誤発信を生じさせてしまうことは無い。
【０１０９】
なお、無線ＬＡＮデュアル端末３が携帯電話端末と機能している場合に、着信履歴データや電話帳データを用いて発信を行うようにした場合であっても、識別子「ＩＣＭ」が付加された電話番号は内線番号であると判断し、発信しないようにすることも可能である。
【０１１０】
また、無線ＬＡＮデュアル端末３の不揮発性メモリに、自機が内線端末として接続可能な交換制御装置１に割り当てられた電話番号（外線番号）を登録しておくようにする。そして、無線ＬＡＮデュアル端末３が携帯電話端末と機能している場合に、着信履歴データや電話帳データを用いて発信を行うようにした場合であって、識別子「ＩＣＭ」が付加された電話番号が着信先として指示されたとする。この場合には、制御部５０が、自機の不揮発性メモリに登録されている交換制御装置１に割り当てられた電話番号（外線番号）を読み出し、当該外線番号と選択された相手先の内線番号とを用いて、携帯電話網５を通じて電話をかけるようにすることもできる。すなわち、自機が接続可能とされた交換制御装置１の目的とする内線番号の内線端末に対して携帯電話網５を通じて電話をかけるようにすることもできる。
【０１１１】
［交換制御装置１の処理］
次に、この第１の実施の形態の電話システム１０で用いられる交換制御装置１の動作について、図８のフローチャートを参照しながらまとめる。図８は、交換制御装置１において実行される呼設定受信処理ルーチンを説明するためのフローチャートである。
【０１１２】
この図８のフローチャートに示す処理は、交換制御装置１の主に制御部１４において実行される処理である。交換制御装置１においては、電源が投入されている間においては、常時、自機が呼設定を受信したか否かを監視しており、呼設定要求を受信したと判断した場合に、制御部１４は、図８に示す処理を実行する。
【０１１３】
ここで、呼設定とは、発信側と着信側の間に通話用のセッションを確立する要求を意味し、具体的には、外線Ｉ／Ｆ１１を通じて受信した電話網４からの通信要求や、ＡＰ２（１）、２（２）、…、及び内線Ｉ／Ｆ１３を通じて受信した内線端末からの通信要求である。
【０１１４】
そして、呼設定を受信したことを検知した制御部１４は、図８の処理を実行する。そして制御部１４は、まず、受信した呼設定は、外線Ｉ／Ｆ１１を通じて受信した外線からの通信要求（外線からの着信通知）か、内線Ｉ／Ｆ１３を通じて受信した内線からの通信要求（内線からの発信要求）を判断する（ステップＳ１０１）。
【０１１５】
ステップＳ１０１の判断処理において、受信した呼設定は外線からの通信要求であると判断したときには、当該通信要求は、電話網４を通じて送信されてきた自機への着信通知であるので、従来通りの外線着信処理を実行する（ステップＳ１０２）。すなわち、ステップＳ１０２においては、呼制御手段１４１は、外線Ｉ／Ｆ１１、スイッチ部１２、内線Ｉ／Ｆ１３を制御し、発信元の外線端末と自機に接続されている子機との間に通信路を接続するようにし、通話を行えるようにする。この後、通話終了後においては、呼制御部１４１は、接続した通信路を解放して、この図８に示す処理を終了する。
【０１１６】
また、ステップＳ１０１の判断処理において、受信した呼設定は内線からの通信要求であると判断したときには、制御部１４のダイヤル解析部１４３は、内線端末からの通信要求の着信先番号（着番号）を解析し、識別子「ＩＣＭ」があるか否かを判断する（ステップＳ１０３）。ステップＳ１０３の判断処理において、着信先番号に識別子「ＩＣＭ」があると判断したときには、通信の相手先は交換制御装置１に接続された他の子機である。このため、制御部１４は呼制御部１４１の機能により、図４（Ｂ２）に示したように、発信元番号（発番号）に識別子「ＩＣＭ」を付与（付加）した通信要求を形成する（ステップＳ１０４）。
【０１１７】
そして、呼制御部１４１は、呼制御部１４１は、内線Ｉ／Ｆ１３を制御して、内線着信処理を実行する（ステップＳ１０５）。具体的にステップＳ１０５においては、呼制御部１４１が、内線Ｉ／Ｆ１３を制御し、形成した通信要求を目的とする他の子機に送信し、当該他の子機から送信されてくる応答メッセージを受信して発信元の子機に送信する。さらに、ステップＳ１０５においては、呼制御部１４１が、内線Ｉ／Ｆ１３を制御し、発信元の内線端末と着信先の内線端末との間に通信路を接続して、通話を行えるようにする。この後、通話終了後においては、呼制御部１４１は、接続した通信路を解放して、この図８に示す処理を終了する。
【０１１８】
また、ステップＳ１０３の判断処理において、着信先番号に識別子「ＩＣＭ」は存在しないと判断したときには、通信の相手先は電話網４に接続された外線端末である。このため、制御部１４は、従来通りの外線発信処理を実行する（ステップＳ１０６）。すなわち、ステップＳ１０６においては、呼制御手段１４１は、外線Ｉ／Ｆ１１、スイッチ部１２、内線Ｉ／Ｆ１３を制御し、発信元の内線端末と着信先の外線端末との間に通信路を接続し、通話を行えるようにする。この後、通話終了後においては、呼制御部１４１は、接続した通信路を解放して、この図８に示す処理を終了する。
【０１１９】
このように、この実施の形態の交換制御装置１は、外線着信処理や外線発信処理については、従来の交換制御装置において行われていた処理と同様の処理が行われる。しかし、子機（内線端末）から子機（内線端末）へ発信の場合、内線端末からの当該通信要求の着信先番号（着番号）に識別子「ＩＣＭ」を付加できるようにしておくことにより、交換制御装置１において内線端末への通信要求であることを認識することができるようにされる。
【０１２０】
そして、内線端末から内線端末への通信要求の場合に、交換制御装置１において、発信元番号（発番号）に識別子「ＩＣＭ」を付加して着信先に通知することによって、発信元が内線端末であることを識別可能にした着信履歴を形成することができるようにされる。これにより上述もしたように、当該着信履歴を用いた発信を行った場合に、交換制御装置１が誤発信をしてしまうことを確実に防止することができる。
【０１２１】
［電話システム１０における通信シーケンス］
次に、この第１の実施の形態の電話システム１０における通信シーケンスについて図９、図１０のシーケンス図を参照しながら説明する。
【０１２２】
［子機間における通信シーケンス］
まず、この実施の形態の電話システム１０において交換制御装置１の子機間で通信を行うようにする場合のシーケンス（手順）について説明する。図９は、交換制御装置１を中心にして形成されるこの実施の形態の電話システム１０においての子機間の通信シーケンスについて説明するためのシーケンス図である。図９に示す例は、図１に示したように、無線ＬＡＮデュアル端末３（１）、３（２）がＡＰ２（１）、２（２）、…を通じて交換制御装置１に接続され、交換制御装置１の子機（内線端末）として機能している場合であって、これら子機間で通信を行う場合を示している。
【０１２３】
まず、子機３（２）から子機３（１）に対して内線電話をかける場合について説明する。この例の場合、子機３（１）に対して割り当てられている内線番号は「１００」であり子機３（２）に対して割り当てられている内線番号は「１０６」であるとする。子機３（２）は、図６を用いて説明したように構成される自機の電話帳メモリ７１の電話帳データから、子機３（１）の内線番号である「ＩＣＭ１００」を着信先の番号として発信を行うようにしたとする。
【０１２４】
子機３（２）は、図９に示すように、着信先番号（着番号）が「ＩＣＭ１００」で発信元番号（発番号）が「１０６」である通信要求を形成し、これを無線ＬＡＮ通信部３４、送受信アンテナ３３を通じて送信する。当該通信要求は、ＡＰ２（１）、２（２）、…、内線Ｉ／Ｆ１３を通じて交換制御装置１において受信され、ダイヤル解析部１４３の解析の結果、着信先番号に識別子「ＩＣＭ」が付加されているので交換制御装置１に収容された子機への発信であると認識される。
【０１２５】
そして、交換制御装置１の呼制御部１４１の機能により、着信先番号が「１００」で発信元番号が「ＩＣＭ１０６」である通信要求が形成され、これが内線Ｉ／Ｆ１３、ＡＰ２（１）、２（２）、…を通じて、子機３（１）に送信される。この後、当該通信要求を子機３（１）が受信して、応答メッセージを返信することにより、交換制御装置１の内線Ｉ／Ｆ１３を介して通信路が接続され、通話を行うことができるようにされる。
【０１２６】
この時、着信先の子機３（１）の制御部５０においては、受信した通信要求に基づいて、発信元が「ＩＣＭ１０６」である着信履歴データを形成し、これを自機の着信履歴メモリ７２に格納する。そして、通話終了後、子機３（１）、３（２）の内のいずれかがオンフックする操作を行うことにより、接続されていた通信路が解放される。
【０１２７】
この後、今度は子機３（１）のユーザーが子機３（２）のユーザーとの間で通話を行う必要が生じたために、子機３（１）のユーザーは、図９に示したように、自機の着信履歴メモリ７２から、子機３（２）についての着信履歴データを選択し、発信を行ったとする。この場合、図９に示すように、子機３（１）の制御部５０は、着信先番号（着番号）が「ＩＣＭ１０６」で、発信元番号（発番号）が「１００」である通信要求を形成し、これを無線ＬＡＮ通信部３４、送受信アンテナ３３を通じて送出する。
【０１２８】
当該通信要求は、ＡＰ２（１）、２（２）、…、内線Ｉ／Ｆ１３を通じて、交換制御装置１において受信され、ダイヤル解析部１４３の解析の結果、着信先番号に識別子「ＩＣＭ」が付加されているので内線端末への発信であると認識される。そして、交換制御装置１の呼制御部１４１の機能により、着信先番号が「１０６」で発信元番号が「ＩＣＭ１００」である通信要求が形成され、これが内線Ｉ／Ｆ１３、ＡＰ２（１）、２（２）、…を通じて、子機３（２）に送信される。
【０１２９】
当該通信要求は子機３（２）において受信され、応答メッセージを返信することにより、交換制御装置１の内線Ｉ／Ｆ１３を介して通信路が接続され、通話を行うことができるようにされる。この時、着信先の子機３（２）の制御部５０においては、受信した通信要求に基づいて、発信元が「ＩＣＭ１００」である着信履歴データを形成し、これを自機の着信履歴メモリ７２に格納する。そして、通話終了後、子機３（１）、３（２）の内のいずれかがオンフックする操作を行うことにより、接続されていた通信路が解放される。
【０１３０】
このように、交換制御装置１に収容された子機から子機への発信の場合には、着信先の端末に対しては、必ず識別子「ＩＣＭ」が付加された発信元番号（発番号）が通知される。したがって、着信先の子機においては、識別子「ＩＣＭ」が付加された発信先番号を有する着信履歴を形成することができる。当該着信履歴を用いることによって、交換制御装置１は誤発信をしないようにすることができる。
【０１３１】
［外線端末と内線端末との間の通信シーケンス］
次に、この実施の形態の電話システム１０において、電話網４に接続された外線端末と交換制御装置１に収容された子機との間で通信を行うようにする場合のシーケンス（手順）について説明する。図１０は、交換制御装置１を中心にして形成されるこの実施の形態の電話システム１０において外線端末と交換制御装置１の子機との間の通信シーケンスについて説明するためのシーケンス図である。
【０１３２】
図１０に示す例は、図１に示したように、少なくとも無線ＬＡＮデュアル端末３（１）がＡＰ２（１）、２（２）、…を通じて交換制御装置１に接続され、交換制御装置１の子機（内線端末）として機能している場合であって、当該子機（内線端末）３（１）と、電話網４に接続された外線端末との間で通信を行う場合を示している。
【０１３３】
まず、電話網４に接続するようにされた外線端末から子機３（１）に対して電話をかける場合について説明する。この例の場合、子機３（１）に対して割り当てられている内線番号は「１００」であるとする。また、図９を用いて説明した内線通信の場合のシーケンスとの比較を容易にするため、外線端末に対して割り当てられた電話番号（外線番号）は特別に３桁の「１０６」であるものとして説明する。また、この実施の形態の交換制御装置１に割り当てられた電話番号（外線番号）は、例えば「０３１２３４」であるものとして説明する。
【０１３４】
そして、図１０に示すように、外線端末は、外線番号が「０３１２３４」である交換制御装置１に接続されている内線番号が「１００」である子機３（１）に対して発信を行うようにしたとする。この場合、外線端末は、図１０に示すように、着信先番号（着番号）が「０３１２３４＊１００」で発信元番号（発番号）が「１０６」である通信要求を形成し、これを電話網４に送出する。当該通信要求は、電話網４を通じて交換制御装置１に送信され、これを交換制御装置１は、外線Ｉ／Ｆ１１を通じて受信する。したがって、交換制御装置１の制御部１４の呼制御部１４１は、当該通信要求は外線端末からの通信要求であることを認識することができる。
【０１３５】
そして、交換制御装置１の制御部１４の呼制御部１４１は、着信先番号（着番号）が「０３１２３４＊１００」である場合、「０３１２３４」は自機に割り当てられた外線番号であり、記号「＊」以下の番号が、自機に接続されている子機の内線番号であると認識する。そして、交換制御装置１の呼制御部１４１は、着信先番号が「１００」で発信元番号が「１０６」である通信要求を形成し、これを内線Ｉ／Ｆ１３、ＡＰ２（１）、２（２）、…を通じて、子機３（１）に送信する。ここで重要なことは、発信元が外線端末であるために、発信元番号には識別子「ＩＣＭ」は付加されないことである。
【０１３６】
この後、当該通信要求が子機３（１）において受信され、子機３（１）が応答メッセージを返信することにより、交換制御装置１の外線Ｉ／Ｆ１１、スイッチ部１２、内線Ｉ／Ｆ１３を介して、発信元の外線端末と着信先の子機３（１）との間に通信路が接続され、通話を行うことができるようにされる。この時、着信先の子機３（１）の制御部５０においては、受信した通信要求に基づいて、発信元が「１０６」である着信履歴データを形成し、これを自機の着信履歴メモリ７２に格納する。そして、通話終了後、外線端末と子機３（１）の内のいずれかがオンフックする操作を行うことにより、接続されていた通信路が解放される。
【０１３７】
この後、今度は子機３（１）のユーザーが、先に電話をかけてきた外線番号が「１０６」の外線端末のユーザーとの間で通話を行う必要が生じたために、子機３（１）のユーザーは、図１０に示したように、自機の着信履歴メモリ７２から、外線番号が「１０６」である外線端末からの着信履歴データを選択し、発信を行ったとする。この場合、図１０に示すように、子機３（１）の制御部５０は、着信先番号（着番号）が「１０６」で、発信元番号（発番号）が「１００」である通信要求を形成し、これを無線ＬＡＮ通信部３４、送受信アンテナ３３を通じて送出する。
【０１３８】
当該通信要求は、ＡＰ２（１）、２（２）、…、内線Ｉ／Ｆ１３を通じて、交換制御装置１において受信され、ダイヤル解析部１４３の解析の結果、着信先番号に識別子「ＩＣＭ」は付加されていないので外線端末への発信であると認識される。そして、交換制御装置１の呼制御部１４１の機能により、着信先番号が「１０６」で発信元番号が「０３１２３４＊１００」である通信要求が形成され、これが外線Ｉ／Ｆ１１を通じて、電話網４に送出され、外線番号が「１０６」である外線端末に送信される。
【０１３９】
この後、当該通信要求が外線端末において受信され、応答メッセージが返信されることにより、交換制御装置１の外線Ｉ／Ｆ１１、スイッチ部１２、内線Ｉ／Ｆ１３を介して、当該外線端末と子機３（１）との間に通信路が接続され、通話を行うことができるようにされる。この時、着信先の外線端末において、受信した通信要求に基づいて、発信元が「０３１２３４＊１００」である着信履歴データが形成され、これが外線端末の着信履歴メモリに格納される。そして、通話終了後、外線端末または子機３（１）がオンフックする操作を行うことにより、接続されていた通信路が解放される。
【０１４０】
このように、外線端末と交換制御装置１に収容された子機との間の通信の場合には、着信先の端末に対して通知される発信元番号（発番号）には、識別子「ＩＣＭ」が付加されることはない。したがって、着信先の子機においては、従来通りの発信先番号を有する着信履歴を形成することができる。
【０１４１】
そして、上述したように、図９に示した例の場合には、内線番号が「１０６」の内線端末と内線番号が「１００」の内線端末との間の通信処理におけるシーケンスである。また、図１０に示した例の場合には、外線番号が「１０６」の外線端末と内線番号が「１００」の内線端末との間の通信処理におけるシーケンスである。
【０１４２】
そして、図９と図１０とを比較すると分かるように、発信元の番号がいずれも「１０６」であるが、交換制御装置１に収容された子機間における通信と、外線端末と交換制御装置１に収容された子機との間における通信とでは、着信先に通知される発信元番号（発番号）の所定の識別子「ＩＣＭ」の有無が異なる。
【０１４３】
これにより、着信履歴を用いて発信を行う場合であっても、相手先が交換制御装置１の子機か否か、すなわち、内線端末か否かを確実に判別することができるので、交換制御装置１が、内線端末との間に通信路を接続すべきところ、誤って、外線発信してしまうことを確実に防止することができる。
【０１４４】
また、無線ＬＡＮデュアル端末である子機３が、携帯電話端末として機能するようになった場合であっても、着信履歴のデータから、相手先が携帯電話網５を通じて直接に通信路を接続可能な相手先か、交換制御装置１の子機かを確実に区別することができる。したがって、無線ＬＡＮデュアル端末３が着携帯電話端末として機能している場合であっても、着信履歴を用いた発信時に誤発信を行うことを防止することができる。
【０１４５】
［第２の実施の形態］
上述した第１の実施の形態の電話システム１０の場合には、交換制御装置１に接続される子機（内線端末）３は、全てが無線ＬＡＮデュアル端末の構成とされたものとして説明した。しかし、これに限るものではない。例えば、営業部には外出する機会の多い社員が多いため交換制御装置に収容される子機として無線ＬＡＮデュアル端末を用いるようにし、総務部や経理部には外出する機会の多い社員は少ないために交換制御装置に収容される子機として固定電話機を用いるようにすることが考えられる。また、本支店間を専用線で結んで、相互にあたかも内線電話をかけることができるように電話システムを構築する場合もある。
【０１４６】
このような場合であっても、この発明を適用することができる。このような場合について考えると、交換制御装置に接続される固定電話機や交換制御装置に専用線で接続される電話機の場合には、接続された交換制御装置の子機（内線端末）である状態は変化することは無い。したがって、これらの電話機については、相手先が内線端末か外線端末かを考慮することなく、交換制御装置が適切に交換制御を行うことが可能である。
【０１４７】
しかし、交換制御装置に収容される子機として無線ＬＡＮデュアル端末が用いられる場合には、無線ＬＡＮデュアル端末には内線／外線の区別が無いため、上述した第１の実施の形態の電話システム１０の場合と同様に、交換制御装置において、子機間の通信か、そうでないかに応じて、発信元番号（発番号）に子機か否かを区別するための識別子を付与する必要が生じる。なお、専用線で接続された電話機の場合、交換制御装置に直接接続された固定電話機とは異なる。このため、この第２の実施の形態の電話システムにおいては、専用線を通じて接続された電話機か否かの区別もできるようにしている。
【０１４８】
まず、この第２の実施の形態において、電話システムを構成するために用いられる交換制御装置１Ａの構成例について説明する。図１１は、この第２の実施の形態の電話システムにおいて用いられる交換制御装置１Ａを説明するためのブロック図である。図１１に示すように、この第２の実施の形態の交換制御装置１Ａは、外線Ｉ／Ｆ１１Ａ、スイッチ部（図１１ではＳＷと記載。）１２Ａ、内線Ｉ／Ｆ１３Ａ、制御部１４、メモリ部１５を備えている。
【０１４９】
ここで、内線Ｉ／Ｆ１３Ａは、固定電話Ｉ／Ｆ１３Ａ１と、専用線Ｉ／Ｆ１３Ａ２と、子機Ｉ／Ｆ１３Ａ３とを備えたものである。また、制御部１４は、呼制御部１４１、子機登録管理部１４２、ダイヤル解析部１４３を備えたものである。また、メモリ部１５は、ＲＯＭ１５１、ＲＡＭ１５２、子機登録メモリ１５３を備えたものである。
【０１５０】
そして、図１１に示した第２の実施の形態の交換制御装置１Ａと、図２に示した第１の実施の形態の交換制御装置１とを比較すると分かるように、内線Ｉ／Ｆ１３Ａの構成が、内線Ｉ／Ｆ１３と異なる点を除いては、ほぼ同様に構成されるものである。このため、図１１に示した交換制御装置１Ａにおいて、図２に示した交換制御装置１と同様に構成される部分には同じ参照符号し、それらの部分についての詳細な説明については省略することとする。
【０１５１】
そして、図１１に示したように、内線Ｉ／Ｆ１３Ａ内の固定電話Ｉ／Ｆ１３Ａ１は、交換制御装置１Ａの子機（内線端末）として用いられる固定電話機６が接続されるものである。なお、図１１には、固定電話機６は１台しか示していないが、固定電話Ｉ／Ｆ１３Ａ１には複数の固定電話機が接続可能にされている。なお、固定電話機６は、交換制御装置１Ａの子機として接続可能な通常の機能を有するものである。
【０１５２】
また、内線Ｉ／Ｆ１３Ａ内の専用線Ｉ／Ｆ１３Ａ２は、交換制御装置１Ａの子機（内線電話）として専用線を通じて接続可能な電話機が接続されるものである。また、子機Ｉ／Ｆ１３Ａ３は、ＡＰ（アクセスポイント）２を通じて、交換制御装置１Ａに対して無線ＬＡＮ接続され、交換制御装置１の子機（内線端末）として機能する無線ＬＡＮデュアル端末３が接続される。ここで無線ＬＡＮデュアル端末３は、図５を用いて説明した第１の実施の形態の無線ＬＡＮデュアル端末３と同様に構成されるものである。
【０１５３】
そして、外線Ｉ／Ｆ１１Ａは、図２に示した交換制御装置１の外線Ｉ／Ｆ１１と同様に、電話網（公衆網）４に接続され、制御部１４の制御により、電話網４からの電話回線を終端制御することにより、電話網４からの着信通知の検出や電話網４への発信指示を行う機能を実現する。
【０１５４】
また、内線Ｉ／Ｆ１３Ａは、上述したように、固定電話Ｉ／Ｆ１３Ａ１、専用線Ｉ／Ｆ１３Ａ２、子機Ｉ／Ｆ１３Ａ３を備え、これらを通じて接続される端末を子機（内線端末）として収容する。そして、内線Ｉ／Ｆ１３Ａは、子機（内線端末）として収容された端末との間で各種信号や各種データをやり取りする機能を有する。
【０１５５】
そして、スイッチ部１２Ａは、外線Ｉ／Ｆ１１Ａと、内線Ｉ／Ｆ１３Ａの固定電話Ｉ／Ｆ１３Ａ１や子機Ｉ／Ｆ１３Ａ３との間の伝送路（通話路）を交換接続する機能を実現している。なお、この第２の実施の形態において、専用線で接続される電話機は、例えば、本社や支社などの離れた場所に設置される端末であり、専用線で接続された端末が交換制御装置１Ａを通じて外線発信を行うことはしないようにされている。
【０１５６】
そして、この第２の実施の形態の交換制御装置１Ａにおいては、メモリ部１５の子機登録メモリ１５３に、交換制御装置１Ａに接続された子機（内線端末）を、各子機が属する系毎に管理することができるようにしている。図１２は、交換制御装置１Ａの子機登録メモリ１５３において管理される登録情報の例について説明するための図である。図１２に示すように、この第２の実施の形態の子機登録メモリ１５３には、交換制御装置１Ａに接続される子機（内線端末）の内線番号、子機が属する系を示す情報、接続登録の有無が登録される。
【０１５７】
ここで、内線番号は、交換制御装置１Ａに子機として接続される各端末に割り当てられた内線番号である。子機が属する系を示す情報としては、図１２に示したように、固定電話Ｉ／Ｆ１３Ａ１を通じて接続される固定電話端末の場合には値「１」が、専用線Ｉ／Ｆ１３Ａ２を通じて接続される電話機の場合には値「２」が、子機Ｉ／Ｆ１３Ａ３を通じて接続される無線ＬＡＮデュアル端末の場合には値「３」が用いられ、各子機の属する系が識別できるようにされる。また、接続登録の有無は、無線ＬＡＮデュアル端末３が子機として収容（接続）されているか否かを示す情報である。
【０１５８】
そして、内線電話番号と子機が属する系を示す情報とは、内線Ｉ／Ｆ１３Ａと子機登録管理部１４２との機能により、例えば、システム形成時の接続確認のときに子機登録メモリ１５３に登録される。これらの情報は、通常は、対応する子機が使用されなくなり、子機登録メモリ１５３の対応データが削除されるまで変更されることは無い。また、接続登録の有無は、上述した第１の実施の形態の交換制御装置１の場合と同様に、定期的に送受される無線ＬＡＮデュアル端末３からの接続登録の有無に応じて、内線Ｉ／Ｆ１３Ａと子機登録管理部１４２の機能によって、自動更新するようにされている。
【０１５９】
そして、この第２の実施の形態の交換制御装置１Ａにおいては、外線からの着信（外線着信）の場合には、従来と変わらない外線着信処理を行い、また、外線発信（外線への発信）の場合にも従来と変わらない外線発信処理を行う。また、交換制御装置１Ａの子機間の通信であって、着信先の子機が無線ＬＡＮデュアル端末３以外である場合には従来と変わらない内線着信処理を行う。しかし、交換制御装置１Ａの子機間の通信であって、着信先の子機が無線ＬＡＮデュアル端末３である場合には、発信元番号（発番号）に、当該発信元の端末が属する系を識別するための識別子を付加して着信先に通知するようにしている。
【０１６０】
［交換制御装置１Ａの処理］
次に、この第２の実施の形態の電話システムで用いられる交換制御装置１Ａの動作について、図１３、図１４のフローチャートを参照しながらまとめる。図１３、図１４は、この第２の実施の形態の交換制御装置１Ａにおいて実行される呼設定受信処理ルーチンを説明するためのフローチャートである。
【０１６１】
この図１３、図１４のフローチャートに示す処理は、図８に示した第１の実施の形態の交換制御装置１において実行される処理に対応する処理であり、交換制御装置１Ａの主に制御部１４において実行される処理である。交換制御装置１Ａにおいては、電源が投入されている間においては、常時、自機が呼設定を受信したか否かを監視しており、呼設定要求を受信したと判断した場合に、制御部１４は、図１３、図１４に示す処理を実行する。
【０１６２】
そして、呼設定を受信したことを検知した制御部１４は、図１３、図１４の処理を実行する。制御部１４は、まず、受信した呼設定は、外線Ｉ／Ｆ１１を通じて受信した外線からの通信要求（外線からの着信通知）か、内線Ｉ／Ｆ１３Ａを通じて受信した内線からの通信要求（内線からの発信要求）を判断する（ステップＳ２０１）。ステップＳ２０１の判断処理において、受信した呼設定は外線からの通信要求であると判断したときには、当該通信要求は、電話網４を通じて送信されてきた自機への着信通知であるので、従来通りの外線着信処理を実行する（ステップＳ２０２）。
【０１６３】
すなわち、ステップＳ２０２においては、呼制御手段１４１は、外線Ｉ／Ｆ１１Ａ、スイッチ部１２Ａ、内線Ｉ／Ｆ１３Ａを制御し、発信元の外線端末と自機に接続されている子機との間に通信路を接続し、通話を行えるようにする。この後、通話終了後においては、呼制御部１４１は、接続した通信路を解放して、この図１３、図１４に示す処理を終了する。
【０１６４】
また、ステップＳ２０１の判断処理において、受信した呼設定は内線からの通信要求であると判断したときには、制御部１４の呼制御部１４１は、受信した通信要求が、内線Ｉ／Ｆ１３Ａが有するどのＩ／Ｆを通じて受信したかに基づいて、固定電話Ｉ／Ｆ１３Ａ１に接続された固定電話機からの着信か否かを判断する（ステップＳ２０３）。ステップＳ２０３の判断処理において、固定電話機からの通信要求であると判断したときには、呼制御部１４１は、着信先番号（着番号）に基づいて子機登録メモリ１５３の登録情報を参照し、子機への発信（内線への発信）か外線への発信（外線への発信）かを判断する（ステップＳ２０４）。
【０１６５】
ステップＳ２０４の判断処理において、内線への発信であると判断したときには、呼制御部１４１は、参照した子機登録メモリ１５３の登録情報に基づいて、着信先の端末は、無線ＬＡＮデュアル端末３か否かを判断する（ステップＳ２０５）。ステップＳ２０５の判断処理において、着信先の端末が無線ＬＡＮデュアル端末３であると判断したときには、交換制御装置１Ａの呼制御部１４１は、図４（Ｂ２）に示したように、通信要求の発信元番号（発番号）に識別子「ＩＣＭ」を付与（付加）する（ステップＳ２０６）。
【０１６６】
そして、呼制御部１４１は、内線Ｉ／Ｆ１３を制御して、内線着信処理を実行する（ステップＳ２０７）。この場合、ステップＳ２０７においては、ステップＳ２０６で形成するようにした通信要求を用い、図８に示したステップＳ１０５の処理と同様にして、内線Ｉ／Ｆ１３を制御し、発信元の内線端末と着信先の内線端末との間に通信路を接続して、通話を行えるようにする。この後、通話終了後においては、呼制御部１４１は、接続した通信路を解放して、この図１３、図１４に示す処理を終了する。
【０１６７】
また、ステップＳ２０５の判断処理において、着信先の端末が無線ＬＡＮデュアル端末３ではないと判断したときには、交換制御装置１Ａの呼制御部１４１は、従来通りの通信要求を用いて、従来通りの内線着信処理を実行する（ステップＳ２０７）。すなわち、発信元番号（発番号）は、所定の識別子は付加しない内線番号のみを用いた通信要求により、内線着信処理を実行する。
【０１６８】
また、ステップＳ２０４の判断処理において、外線発信であると判断したときには、呼制御部１４１は、従来通りの外線発信処理を実行する（ステップＳ２０８）。すなわち、ステップＳ２０８においては、呼制御手段１４１は、外線Ｉ／Ｆ１１Ａ、スイッチ部１２Ａ、内線Ｉ／Ｆ１３Ａを制御し、発信元の子機と着信先の外線端末との間に通信路を接続し、通話を行えるようにする。この後、通話終了後においては、呼制御部１４１は、接続した通信路を解放して、この図１３、図１４に示す処理を終了する。
【０１６９】
また、ステップＳ２０３の判断処理において、固定電話機からの着信ではないと判断したときには、呼制御部１４１は、図１４のステップＳ２０９の処理に進む。そして、受信した通信要求が、内線Ｉ／Ｆ１３Ａが有するどのＩ／Ｆを通じて受信したかに基づいて、当該通信要求は、専用線Ｉ／Ｆ１３Ａ２に接続された電話機からのものか否かを判断する（ステップＳ２０９）。
【０１７０】
ステップＳ２０９の判断処理において、受信した通信要求は、専用線Ｉ／Ｆ１３Ａ２に接続された電話機からのものであると判断したときには、呼制御部１４１は、受信した通信要求の着信先は、子機Ｉ／Ｆ１３Ａ３を通じて接続される無線ＬＡＮデュアル端末３か否かを判断する（ステップＳ２１０）。このステップＳ２１０の判断処理は、呼制御部１４１が、通信要求の着信先番号（着番号）に基づいて子機登録メモリ１５３を参照することにより行われる。
【０１７１】
ステップＳ２１０の判断処理において、着信先の端末が無線ＬＡＮデュアル端末３であると判断したときには、交換制御装置１Ａの呼制御部１４１は、図４（Ｂ２）に示したように、通信要求の発信元番号（発番号）に識別子を付与（付加）する（ステップＳ２１１）。なお、ステップＳ２１１において付加する識別子は、専用線により接続された電話機であることを示す識別子「ＰＢＸ」が用いられる。そして、呼制御部１４１は、内線Ｉ／Ｆ１３を制御して、内線着信処理を実行する（ステップＳ２１２）。
【０１７２】
具体的にステップＳ２１２においては、ステップＳ２１１で形成するようにした通信要求を用い、図８に示したステップＳ１０５の処理と同様にして、内線Ｉ／Ｆ１３を制御し、発信元の内線端末と着信先の内線端末との間に通信路を接続して、通話を行えるようにする。
【０１７３】
また、ステップＳ２１０の判断処理において、着信先の端末が無線ＬＡＮデュアル端末３ではないと判断したときには、交換制御装置１Ａの呼制御部１４１は、従来通りの通信要求を用いて、従来通りの内線着信処理を実行する（ステップＳ２１２）。すなわち、発信元番号（発番号）は、所定の識別子は付加しない内線番号のみを用いた通信要求により、内線着信処理を実行する。上述したステップＳ２１２の処理の後、通話終了後においては、呼制御部１４１は、接続した通信路を解放して、この図１３、図１４に示す処理を終了する。
【０１７４】
また、ステップＳ２０９の判断処理において、受信した通信要求は、専用線Ｉ／Ｆ１３Ａ２に接続された電話機からのものではないと判断したときには、当該通信要求は、子機Ｉ／Ｆ１３Ａ３に接続された無線ＬＡＮデュアル端末３からのものであると判断することができる。この場合、呼制御部１４１は、受信した通信要求の着信号先番号（着番号）に、所定の識別子として、「ＩＣＭ」や「ＰＢＸ」が付加されているか否かを判断する（ステップＳ２１３）。ステップＳ２１３において所定の識別子が付加されているか否かを判断するのは、通信要求が、内線への発信を要求するものか、外線への発信を要求するものかを判別するためである。
【０１７５】
ステップＳ２１３の判断処理において、着信先番号に所定の識別子が付与されている（内線への発信である）と判断したときには、呼制御部１４１は、受信した通信要求の着信先は、子機Ｉ／Ｆ１３Ａ３を通じて接続される無線ＬＡＮデュアル端末３か否かを判断する（ステップＳ２１４）。このステップＳ２１４の判断処理は、ステップＳ２１０の判断処理と同様に行われる処理である。すなわち、呼制御部１４１が、通信要求の着信先番号（着番号）に基づいて子機登録メモリ１５３を参照することにより行われる。
【０１７６】
ステップＳ２１４の判断処理において、着信先の端末が無線ＬＡＮデュアル端末３であると判断したときには、交換制御装置１Ａの呼制御部１４１は、図４（Ｂ２）に示したように、通信要求の発信元番号（発番号）に識別子「ＩＣＭ」を付与（付加）する（ステップＳ２１５）。そして、呼制御部１４１は、内線Ｉ／Ｆ１３を制御して、内線着信処理を実行する（ステップＳ２１２）。この場合、ステップＳ２１２においては、ステップＳ２１５で形成するようにした通信要求を用い、図８に示したステップＳ１０５の処理と同様にして、内線Ｉ／Ｆ１３を制御し、発信元の内線端末と着信先の内線端末との間に通信路を接続して、通話を行えるようにする。
【０１７７】
また、ステップＳ２１４の判断処理において、着信先の端末が無線ＬＡＮデュアル端末３ではないと判断したときには、交換制御装置１Ａの呼制御部１４１は、従来通りの通信要求を用いて、従来通りの内線着信処理を実行する（ステップＳ２１２）。すなわち、発信元番号（発番号）は、所定の識別子は付加しない内線番号のみを用いた通信要求により、内線着信処理を実行する。ステップＳ２１２の処理の後、通話終了後においては、呼制御部１４１は、接続した通信路を解放して、この図１３、図１４に示す処理を終了する。
【０１７８】
また、ステップＳ２１３の判断処理において、着信先番号に所定の識別子が付与されていない（外線への発信である）と判断したときには、呼制御部１４１は、呼制御部１４１は、通常の外線発信処理を実行する（ステップＳ２１６）。このステップＳ２１６の処理は、図１３に示したステップＳ２０８と同様に行われる処理である。この後、通話終了後においては、呼制御部１４１は、接続した通信路を解放して、この図１３、図１４に示す処理を終了する。
【０１７９】
このように、この第２の実施の形態の交換制御装置１Ａにおいては、外線着信の場合には従来と変わらない外線着信処理を行う。また、外線発信の場合にも従来と変わらない外線発信処理を行う。また、交換制御装置１Ａに収容された子機間の通信であって、着信先の子機が無線ＬＡＮデュアル端末３以外である場合には従来と変わらない内線着信処理を行う。
【０１８０】
しかし、内線端末間の通信であって、着信先の内線端末が無線ＬＡＮデュアル端末３である場合には、発信元番号（発番号）に、当該発信元の端末が属する系を識別するための識別子を付加して着信先の無線ＬＡＮデュアル端末３に通知する。
【０１８１】
これによって、無線ＬＡＮデュアル端末３に形成される着信履歴においては、発信元番号（発番号）に所定の識別子が付加されているか否かに応じて、発信元の端末が、外線端末であったのか、内線端末であったのかを確実に区別することができるようにされる。
【０１８２】
したがって、無線ＬＡＮデュアル端末３が、交換制御装置１Ａに子機として接続されている場合に、着信履歴を用いて発信を行っても、交換制御装置１Ａが、内線への着信を、外線への発信と間違えて誤発信してしまうことを確実に防止することができる。
【０１８３】
しかも、外線端末が発信元であった場合の着信履歴は、無線ＬＡＮデュアル端末３が交換制御装置１Ａの子機として機能している場合であっても、また、携帯電話端末として機能している場合であっても同じ形式で作成される。したがって、無線ＬＡＮデュアル端末３が、携帯電話端末として機能している場合であっても、着信履歴を用いて目的とする相手先に確実に発信を行うことができる。
【０１８４】
また、内線端末を発信元とする着信履歴の場合には、発信元番号に識別子「ＩＣＭ」や「ＰＢＸ」が付加されるので、無線ＬＡＮデュアル端末３が携帯電話端末として機能している場合に、着信履歴を用いた発信時において、発信元番号を表示して確認を促すことで、携帯電話端末として機能している場合の誤発信をも防止することができる。
【０１８５】
また、無線ＬＡＮデュアル端末３が携帯電話端末として機能している場合において、着信履歴から発信を行う場合であって、識別子「ＩＣＭ」や識別子「ＰＢＸ」が付加された発信元番号を用いるようにした場合には、エラーとして警告メッセージを表示したり、警告音を放音したりすることにより、携帯電話端末として機能している場合の誤発信を確実に防止することができる。
【０１８６】
また、子機としても機能する無線ＬＡＮデュアル端末３の電話帳メモリ７１に対して、着信履歴メモリ７２に登録するようにした着信履歴データと同様の態様で、通信の相手先となる電話番号（外線番号や内線番号）を登録しておく。これにより、無線ＬＡＮデュアル端末が交換制御装置１Ａに収容され子機として機能している場合に、当該電話帳メモリ７１のデータを用いて発信を行っても、交換制御装置１Ａが誤発信を行うことは無いようにすることができる。
【０１８７】
［実施の形態の効果］
交換制御装置が子機からの通信要求に応じて発信する場合における誤発信を確実に防止することができる。また、従来、交換制御装置に対して特別な番号として登録する必要があった「１１０」、「１１９」といった「１ＸＸ」と言う番号についても予め特別な番号として登録する必要がなくなる。そして、内線番号として、「１１０」などの番号を用いても、誤発信することなくなく、正しい方路を特定して発信することができる。
【０１８８】
［この発明の方法について］
図８のフローチャートを用いて説明した実施の形態の交換制御装置１で行われる発番号通知処理が、この発明による第１の発番号通知方法が適用されたものである。また、図１３、図１４のフローチャートを用いて説明した実施の形態の交換制御装置１Ａで行われる発番号通知処理が、この発明による第２の発番号通知方法が適用されたものである。
【０１８９】
［請求項の手段との対応付け］
なお、上述した実施の形態においては、外線Ｉ／Ｆ１１が外線インターフェース手段を実現し、内線Ｉ／Ｆ１３が内線インターフェース手段を実現し、スイッチ部１２がスイッチ手段を実現している。また、制御部１４のダイヤル解析部１４３がダイヤル解析手段を実現し、制御部１４の呼制御部１４１が呼制御手段の機能を実現している。なお、ダイヤル解析手段や呼制御手段の機能は、制御部１４において実行されるプログラムにより、制御部１４の機能として実現することも可能であるし、独立したハードウエア（回路部）によって実現することも可能である。
【０１９０】
［その他］
なお、上述した実施の形態では、無線ＬＡＮデュアル端末３は、交換制御装置１、１Ａに対して無線ＬＡＮ接続されるものとして説明したが、これに限るものではない。交換制御装置１、１Ａに対して有線によりＬＡＮ接続されるものであってももちろんよい。
【０１９１】
また、上述した実施の形態の形態では、発信元が交換制御装置に収容された子機である場合には識別子として「ＩＣＭ」を内線番号に付加し、発信元が交換制御装置に専用線を通じて接続されることにより収容するようにされる電話機の場合には識別子として「ＰＢＸ」を内線番号に付加するようにしたがこれに限るものではない。予め用いる文字列を決めておけば、任意の文字列を用いることができる。例えば、「ＩＣＭ」に替えて「ＮＡＩＳＥＮ」と言う文字列を用い、「ＰＢＸ」と言う文字列に替えて「ＳＥＮＹＯＵ」と言う文字列を用いるなどのことも可能である。
【０１９２】
また、専用線を通じて接続される電話機の場合には、相手の交換制御装置に応じて識別できるようにすることも可能である。例えば、北海道支社との間に接続された専用線に接続される電話機の場合には、識別子として「ＨＯＫＫＡＩＤＯ」と言う文字列を用い、関西支社との間に接続された専用線に接続される電話機の場合には、識別子として「ＫＡＮＳＡＩ」という文字列を用いるなどのことが可能である。
【０１９３】
また、上述した実施の形態の交換制御装置は、ボタン電話システムの主装置やＩＰ電話システムのＳＩＰサーバなど、電話交換制御を行う装置に適用することができる。
【符号の説明】
【０１９４】
１…交換制御装置、１１…外線Ｉ／Ｆ、１２…スイッチ部、１３…内線Ｉ／Ｆ、１４…制御部、１４１…呼制御部、１４２…子機登録管理部、１４３…ダイヤル解析部、１５…メモリ部、１５１…ＲＯＭ、１５２…ＲＡＭ、１５３…子機登録メモリ、１Ａ…交換制御装置、１１Ａ…外線Ｉ／Ｆ、１２Ａ…スイッチ部、１３Ａ…内線Ｉ／Ｆ、１３Ａ１…固定電話Ｉ／Ｆ、１３Ａ２…専用線Ｉ／Ｆ、１３Ａ３…子機Ｉ／Ｆ
【図１】
0005522366.tif 000002
【図２】
0005522366.tif 000003
【図３】
0005522366.tif 000004
【図４】
0005522366.tif 000005
【図５】
0005522366.tif 000006
【図６】
0005522366.tif 000007
【図７】
0005522366.tif 000008
【図８】
0005522366.tif 000009
【図９】
0005522366.tif 000010
【図１０】
0005522366.tif 000011
【図１１】
0005522366.tif 000012
【図１２】
0005522366.tif 000013
【図１３】
0005522366.tif 000014
【図１４】
0005522366.tif 000015